(57)【特許請求の範囲】
【請求項１】
上下枠及び左右の縦枠にて構成され、下枠上面を略フラット面に形成した枠内をスライド開閉する引違い障子の下框側壁から、スライド片を垂下し、スライド片をガイドするスライド溝を有する下枠凹部を下枠に設け、かつ下枠凹部側壁とスライド片の間に横タイト材を介在させた屋外開口部サッシ構造において、下枠ベース部材から複数の取付係止片を設けて、この取付係止片に嵌着するようにし、かつ、内障子用目板材と外障子用目板材に分けて設けた上面フラット部材を室内側から室外側方向に対して左側目板材第１部材と右側目板材第２部材及び当該目板材第１部材と目板材第２部材の間に位置する目板材中央部材に分割し、内、外障子を右側に寄せて障子を取り外すことなく内、外障子用目板材第１部材を脱着可能に装着し、内、外障子を左側に寄せて障子を取り外すことなく内、外障子用目板材第２部材を脱着可能に装着し、内、外障子用目板材中央部材を下枠に固定したことを特徴とする屋外用下枠フラットサッシの掃除構造。
【請求項２】
上枠と下枠の間にスライド自在に障子を装着し、建屋開口部と障子収納部を有する屋外用片引き障子のサッシ下枠の上面を略フラット面に形成し、当該フラット面をスライドする障子下框側壁から障子スライド片を垂下し、当該障子スライド片をガイドする障子スライド溝を有する下枠凹部を下枠に設け、障子スライド片と下枠凹部側壁との間に障子が閉じた際に横タイト材を介在させたサッシ構造において、下枠ベース部材から複数の取付係止片を設けて、この取付係止片に嵌着するようにして設けた上面フラット部材を室内側から室外側方向に対して左側目板材第１部材と右側目板材第２部材及び当該目板材第１部材と目板材第２部材の間に位置する目板材中央部材に分割し、可動障子を右側に寄せて可動障子を取り外すことなく目板材第１部材を脱着可能に装着し、可動障子を左側に寄せて可動障子を取り外すことなく目板材第２部材を脱着可能に装着し目板材中央部材を下枠に固定したことを特徴とする屋外用下枠フラットサッシの掃除構造。
【発明の詳細な説明】
【０００１】
【発明の属する技術分野】
本発明は建築物の屋外開口部に取り付けたサッシ枠内を障子がスライド開閉するサッシ構造に関し、特に、下枠上面が略フラット面に形成したバリアフリーサッシ下枠の掃除が容易な構造に関する。
【０００２】
【従来の技術】
建築物の屋外開口部には一般に上下枠と左右の縦枠にて枠体を構成し、その内側を障子がスライド開閉するサッシ構造が設けられている。
この場合に従来は図１６に示すように、下枠サッシに突条状のレールが突設されていてこのレール上を障子の下框に取り付けられた戸車が回転し障子が移動する構造が一般的である。
また、建築物屋外開口部の室外側外障子用突条レールと室内側内障子用突条レールに室内側が高くなるように段差を設けたり、レール溝に室外側と室内側に段差を設けたりして風雨の侵入の防止を図っている。
従ってこのレール溝の上部は解放されていて掃除は可能であるがレール溝が深くゴミ、砂、埃等が溜まり易く不衛生な状態になり易い一面があった。
【０００３】
サッシ下枠の上面をフラットに形成したバリアフリータイプのサッシ構造にした場合には図１５に示すように上記レール溝の壁が無くなり、比較的大きいゴミ等は溜まりにくくなるが、屋外用サッシにおいては、中、高層ビルになると５００Ｐａ近くの風圧を受けたり、室外と室内の温度差による気圧差が生じ雨水の室内への侵入を防止するためには障子とサッシ枠の間に気密ラインを確保するとともに、気密ラインを形成する下枠上面からの高排水性を確保するために排水凹部を設ける必要があり、この凹部にゴミ、埃、砂等が溜まると障子のスライド性を阻害したり不衛生の要因となる恐れがあった。
【０００４】
また、最近のマンション等のテラス戸においては眺望を良くするためサッシの大型化が進み、耐風圧強度も高くする必要がありガラスの板厚も厚くなり障子戸の重量も非常に重くなっている。
特に、省エネルギー対策から複層ガラスの使用や、防音効果を目的に、合わせガラスが使用される割合も多くなり障子がさらに重くなり障子を取り外して下枠を掃除することが困難になりつつある。
【０００５】
【発明が解決しようとする課題】
本発明は建築物屋外開口部に取り付けた上下及び左右の縦枠にて構成されるサッシの下枠上面をスライド開閉する引違い障子や片引き障子等において、図１５に本発明による屋外用バリアフリーサッシの施工イメージ図を示すように、サッシ下枠の上面をフラットに形成したバリアフリータイプの下枠凹部に溜まったゴミ、埃、砂等を障子を取り外さずに容易に掃除できて、高い気密、水密性が維持できる下枠構造の提供にある。
【０００６】
【課題を解決するための手段】
請求項１記載の発明は、上下枠及び左右の縦枠にて構成され、下枠上面を略フラット面に形成した枠内をスライド開閉する引違い障子の下框側壁から、スライド片を垂下し、スライド片をガイドするスライド溝を有する下枠凹部を下枠に設け、かつ下枠凹部側壁とスライド片の間に横タイト材を介在させた屋外開口部サッシ構造において、下枠ベース部材から複数の取付係止片を設けて、この取付係止片に嵌着するようにし、かつ、内障子用目板材と外障子用目板材に分けて設けた上面フラット部材を室内側から室外側方向に対して左側目板材第１部材と右側目板材第２部材及び当該目板材第１部材と目板材第２部材の間に位置する目板材中央部材に分割し、内、外障子を右側に寄せて障子を取り外すことなく内、外障子用目板材第１部材を脱着可能に装着し、内、外障子を左側に寄せて障子を取り外すことなく内、外障子用目板材第２部材を脱着可能に装着し、内、外障子用目板材中央部材を下枠に固定した。
【０００７】
下枠凹部の屋内外方向幅よりスライド溝幅が狭い上面フラット部材（目板材）が装着されているので従来のレール方式に比較して段差が無く、下枠凹部へのゴミ等の侵入を抑えることが出来るが、図１２に示すように下枠凹部にゴミ、埃、砂等が溜まった場合には図１３に示すように目板材を取り外して掃除をする必要がある。
この場合に請求項１記載の発明のように、下枠ベース部材から複数の取付係止片を設けて、この取付係止片に嵌着するように、内障子と外障子に分けてそれぞれ目板材を３分割に分割したので、例えば図２に示すように、高い水密性を確保しつつ、図３に示すように、障子を取り外さなくても内、外障子を右側に寄せるだけで目板材の外障子用目板材第１部材及び内障子用目板材第１部材を取り外して下枠凹部の掃除が出来、次に図４に示すように、内、外障子を左側に寄せて外障子用目板材第２部材及び内障子用目板材第２部材を取り外して掃除をし、また、目板材を元に戻すことが出来る。
これにより、掃除の容易性と高水密性の両立が可能になる。
この際に図１４に参考として示したように、元々下枠の排水性が優れた構造になっているのでホース等で水を流すことにより簡単に掃除が出来る。
【０００８】
請求項２記載の発明は、上枠と下枠の間にスライド自在に障子を装着し、建屋開口部と障子収納部を有する屋外用片引き障子のサッシ下枠の上面を略フラット面に形成し、当該フラット面をスライドする障子下框側壁から障子スライド片を垂下し、当該障子スライド片をガイドする障子スライド溝を有する下枠凹部を下枠に設け、障子スライド片と下枠凹部側壁との間に障子が閉じた際に横タイト材を介在させたサッシ構造において、下枠ベース部材から複数の取付係止片を設けて、この取付係止片に嵌着するようにして設けた上面フラット部材を室内側から室外側方向に対して左側目板材第１部材と右側目板材第２部材及び当該目板材第１部材と目板材第２部材の間に位置する目板材中央部材に分割し、可動障子を右側に寄せて可動障子を取り外すことなく目板材第１部材を脱着可能に装着し、可動障子を左側に寄せて可動障子を取り外すことなく目板材第２部材を脱着可能に装着し目板材中央部材を下枠に固定した。
【０００９】
例えば、外動片引き障子の例で説明すると、図９（イ）に示すように下枠ベース部材に設けた取付係止片に、障子スライド溝を設けて上面部材を嵌着させることで雨水の排水性、水密性を確保しつつ、図１０に示すように可動障子を右側に寄せて、目板材第１部材のみを取り外し、下枠凹部を掃除した後に目板材第１部材を元のように下枠に取り付け、次に図１１に示すように可動障子を左に寄せて目板材第２部材のみを取り外し下枠凹部を掃除して、また、目板材を元のように取り付けることが出来るので、掃除のために障子を取り外す必要が無い。
また、目板材を元のように取り付けるだけで高水密性も維持出来る。
【００１０】
下枠の上面に設けた上面フラット部材（目板材）の目板材第１部材及び目板材第２部材の縦枠側に脱着用のツマミ部材を取り付けると、目板材の脱着がより容易になる。
この際に、障子が閉じる側の目板材（障子が閉じる際に障子の下に位置する目板材）に取り付けるツマミ部材は障子の閉鎖時の障害にならないように下枠のスライド面より上に突出しないようにし、障子を開放する側の目板材（障子を開放する際に障子の下に位置する目板材）に取り付けるツマミ部材は下枠のスライド面より上に突出させ、障子開放時のストッパーとしての役割も果たすことができる。
【００１１】
上面フラット部材（目板材）に取り付けたツマミ部材と縦枠の間に弾性材を介在させると、下枠の目板材取り付け部位長さ寸法に対する目板材の加工寸法バラツキを吸収できるとともに、縦枠に対する弾性力により、左右の目板材が中央部材側に押しつけられるように作用し目板材の分割目に隙間が生じるのを防止する。
【００１２】
【発明の実施の形態】
本発明の望ましい実施の形態を引き違い障子サッシ構造に適用した場合を例に以下説明する。
図１５に本発明に係る屋外用下枠フラットサッシの掃除装置を適用したイメージ図を示す。
図１８に鉄筋コンクリート造りビル住宅の間取りの例を示し、図１７にその屋外開口部の断面を示す。
ビル住宅の屋外には排水用のグレーチングを取り付け、その外側に段差調整ブロックを敷いてバルコニーが配設され、さらに外側には手摺り等の安全柵が取り付けられている。
室内からバルコニーへの出入り口に本発明に係る掃除装置からなるサッシ構造が採用されている。
【００１３】
図１に、本発明に係るサッシ構造の断面図を示し、（ロ）が縦断面図（ハ）が横断面図で、（イ）に上面フラット部材（目板材）の配置図を示す。
まず、サッシ構造の全体の構成を説明すると図１７に示すように躯体にアンカー８にて取り付けられた下枠１０及び図１（ロ）に示すように上枠４０と、図１（ハ）に示すように左縦枠２０及び右縦枠３０のサッシにて枠体を形成し、その内側に屋外側から、外障子５０、内障子６０が装着されている。
下枠の上面は略フラットに形成され、図１７に示すように室内フローリング床面、下枠の上面、グレーチングを介してバルコニーの床面がほぼ水平に配置されたバリアフリー構造になっている。
【００１４】
図１及び図２に下枠付近の拡大縦断面図を示すように、外障子５０は外障子下框５１及び上框５５と、外障子戸当框５２及び外障子召合框５３にて枠を形成し、内側にガラス等が装着されている。
外障子下框５１の室内側には外障子スライド片５１ａが垂下されている。また、下框の外障子下框凹部５１ｂには外障子戸車５４が取り付けられ、下枠１０の上面フラット部材（目板材）１ａ、２ａ、３ａの上面を外障子が移動する。
内障子６０も外障子と同様に、内障子下框６１及び上框６５と、内障子戸当框６２及び内障子召合框６３にて枠を形成し、内側にガラス等が装着されている。
内障子下框６１の室内側には内障子スライド片６１ａが垂下され、下框の内障子下框凹部６１ｂには内障子戸車６４が取り付けられ下枠１０の上面フラット部材（目板材）１ｂ、２ｂ、３ｂの上面を内障子が移動する。
【００１５】
次に、目板材の構成を説明すると、図１（イ）に示すように外障子用目板材が左側の外障子用目板材第１部材１ａ、右側の外障子用目板材第２部材２ａ及び外障子用目板材中央部材３ａの３分割構造になっている。
また、内障子用目板材も、左側の内障子用目板材第１部材１ｂ、右側の内障子用目板材第２部材２ｂ及び内障子用目板材中央部材３ｂの３分割構造になっている。
断面形状は図２に示すように、下枠１０のベース部材１００の上部に取付係止片１００ｂを複数設けて外障子用目板材係止片１０３、１０４及び内障子用目板材係止片１０１、１０２にて、それぞれ脱着自在に嵌着されている。
なお、目板材中央部材は通常、取り外さないので、ビス等の固定部材４にて固定されている。
【００１６】
このような目板材の構造を採用したことにより、図１（ハ）に示す外障子５０及び内障子６０が閉じた状態から図３に示すように外障子を開けて右側に寄せた状態にして外障子用目板材第１部材１ａ及び内障子目板材第１部材１ｂを取り外して下枠凹部の掃除をして目板材を元のように取り付け、次に図４に示すように内障子を開けて障子を左側に寄せた状態にして、外障子用目板材第２部材２ａ及び内障子用目板材第２部材２ｂを取り外して掃除をしてまた目板材を元にもどすことができる。
【００１７】
目板材には、図５〜図７に示すように脱着用のツマミ部材が取り付けられていて、図５に障子が閉じる側の第１ツマミ部材５を示し、（イ）が平面図、（ロ）がその側面図を示す。
障子が閉じる際に障害にならないように目板材の上面より突出しないように取り付けられていて、指先を入れる第１ツマミ部材凹部５ａが設けられ目板材の脱着時の取り扱いが容易になっている。
また、目板材の内側断面形状に合せた挿入部５ｂを備え、その反対側の縦枠との当接側に弾性片５ｃが設けられている。
この弾性片により、左右の目板材が中央部に押し付けられている。
【００１８】
図６に外障子の開放側目板材２ａの縦枠側に取り付ける第２ツマミ部材を示し、（イ）が平面図、（ロ）がその側面図を示す。
この第２ツマミ部材は、目板材の上面に取り付けられ目板材の取り付け孔に第２ツマミ部材突出部６ｂを挿入し、第２ツマミ部材取り付け孔６ｄにてビス等で目板材に取り付けられている。
第２ツマミ部材の縦枠側側壁には弾性片６ｃが設けられている。
この第２ツマミ部材は、目板材の脱着を容易にするとともに障子を開ける際の障子に取り付けられている取手や錠を保護する働きも示す。
【００１９】
図７に内障子開放側目板材１ｂの縦枠側に取り付ける第３ツマミ部材を示し、（イ）が平面図（ロ）がその側面図を示す。
第３ツマミ部材も第２ツマミ部材と同様に第３ツマミ部材突出部７ｂ、第３ツマミ部材取り付け孔７ｄ及び第３ツマミ部材弾性片７ｃが設けられている。
なお、第１ツマミ部材〜第３ツマミ部材においては弾性材をツマミ側に設けた例を示したが、左右の目板材を中央の目板材に向けて押圧する作用を有する限り、縦枠側に設けても良い。
【００２０】
目板材を上記のように３分割して、目板材の縦枠側にツマミ部材を取り付けたので、参考図として図１４に示すように、障子を外さずに簡単に目板材を外して掃除をすることが出来、元々下枠の排水性が優れた構造になっているのでホース等で水を流すことで簡単に掃除が出来る。
この下枠の構造を以下説明する。
下枠１０には外障子及び内障子の下框に垂下した外障子スライド片５１ａ、内障子スライド片６１ａがスライドする外障子スライド溝１１ａ、内障子スライド溝１１ｂを有する外障子用下枠凹部１２ａ、内障子用下枠凹部１２ｂを設け、凹部の室内側側壁に外障子用横タイト材嵌合溝１３ａ、内障子用横タイト材嵌合溝１３ｂを設け、外障子用横タイト材１４ａ、内障子用横タイト材１４ｂを配設し、これらの横タイト材は障子のスライド片に摺接している。
また、外障子用下枠凹部排水口１７ａ、内障子用下枠凹部排水口１７ｂ及び下枠屋外排水口１８が設けられていて、障子等に吹き付けられ落下してきた雨水は、下枠のフラット上面の外障子スライド溝１１ａ、内障子スライド溝１１ｂ、から、外障子用下枠凹部排水口１７ａ及び内障子用下枠凹部排水口１７ｂに流れ、下枠屋外側に設けた下枠屋外排水口１８より屋外へ排水される。
なお、下枠屋外排水口１８の外側には排水口を覆うように逆風、逆水止め部材１９が上部で枢着されている。
【００２１】
本発明に係る掃除構造を片引き戸に適用した例を以下に説明する。
図８（ロ）に外動片引き戸構造の縦断面図を示し、図８（ハ）にその横断面図を示し、（イ）に目板材の配置図を示す。
サッシ枠は下枠１１０と上枠１４０及び室内から室外に向かって左縦枠１２０、右縦枠１３０にて方形形状に構されている。
このサッシ枠内屋外側にスライド自在に可動障子１５０が装着され、室内側に固定障子１６０が取り付けられている。
可動障子１５０は可動障子下框１５１と可動障子上框１５５、及び可動障子戸当框１５２と可動障子召合框１５３にて枠を形成し、内側にガラス１５６等が装着されている。
一方固定障子は下枠１１０と固定障子上框１６５、右枠１３０と縦骨１７０にていわゆる嵌め殺し方式にてガラス１６６が装着されている。
可動障子１５０の可動障子下框１５１には可動障子スライド片１５１ａが垂下され、可動障子下框に可動障子戸車１５４が取り付けられ下枠１０の略フラット面を障子が案内条に沿って移動する。
下枠１１０には可動障子下框に垂下した可動障子スライド片１５１ａがスライドする可動障子スライド溝１１１を有する下枠凹部１１２ａを設け、この下枠凹部の室内側側壁に横タイト材嵌合溝１１３を設けて横タイト材１１４を配設し、可動障子スライド片１５１ａに摺接させ、下枠凹部には排水口１１７ａが設けられている。
また、下枠ベース部材１１０ａに複数の取付係止片１１０ｂが設けられ、開口部固定障子側には、目板材１１０ｃが取り付けられ、可動障子がスライドする上面部材（目板材）１Ａ、２Ａ、３Ａが取り付けられている。
【００２２】
外動片引き障子の場合には、図１０に示すように、例えば可動障子を開けた状態にて可動障子目板材第１部材１Ａを取り外して下枠凹部の掃除をした後にこの目板材第１部材を元のように取り付け、次に可動障子を閉じて可動障子目板材第２部材２Ａを取り外して掃除をし、元のように目板材をもどすことができる。
また、可動障子目板材中央部材３Ａは、ビス等で固定されている。
なお、目板材には脱着用の可動障子第１ツマミ部材５Ａ、可動障子第２ツマミ部材６Ａが取り付けられている。
【００２３】
【発明の効果】
本発明のサッシ構造はサッシ下枠の上面をフラットに形成し下枠凹部の上部に目板材を設けてスライド片の幅に相当する狭いスライド溝を設けた高水密構造になっているのでこの目板材及びタイト材にて下枠凹部にゴミ等が入り難くなっているが、ゴミ等が溜まった場合には目板材が長手方向に３分割され、縦枠側端部にツマミ部材取り付けたので、障子を外すことなくこの目板材を簡単に取り外せるので掃除が容易に出来、また元に戻すことにより高気密、高水密性を維持することが出来る。
【図面の簡単な説明】
【図１】本発明に係る下枠フラットサッシの掃除構造を引き違い障子に適用した例を示す。
【図２】下枠フラットサッシ構造の縦断面図を示す。
【図３】障子を右側に寄せて左側の目板材を外した状態を示す。
【図４】障子を左側に寄せて右側の目板材を外した状態を示す。
【図５】第１ツマミ部材を示す。
【図６】第２ツマミ部材を示す。
【図７】第３ツマミ部材を示す。
【図８】本発明に係る下枠フラットサッシの掃除構造を片引き障子に適用した例を示す。
【図９】片引き障子の縦断面図を示す。
【図１０】可動障子を開けた状態で目板材を外した状態を示す。
【図１１】可動障子を閉じた状態で目板材を外した状態を示す。
【図１２】下枠スライド溝よりゴミ等が入った状態を示す。
【図１３】目板材を取り外す状態を示す。
【図１４】目板材を外して掃除をしている状態を示す。
【図１５】本発明による屋外用バリアフリーサッシの掃除構造を適用した施工イメージ図を示す。
【図１６】従来サッシによるマンションのバルコニー側と室内側を見た施工イメージ図を示す。
【図１７】屋外開口部縦断面図を示す。
【図１８】間取り図の例を示す。
【符号の説明】
１ａ  外障子用目板材第１部材      １ｂ  内障子用目板材第１部材
２ａ  外障子用目板材第２部材      ２ｂ  内障子用目板材第２部材
３ａ  外障子用目板材中央部材      ３ｂ  内障子用目板材中央部材
４    目板材中央部材固定部材
５    第１ツマミ部材  ５ａ第１ツマミ部材凹部  ５ｂ第１ツマミ部材挿入部
５ｃ  第１ツマミ部材弾性片
６    第２ツマミ部材                          ６ｂ第２ツマミ部材突出部
６ｃ  第２ツマミ部材弾性片  ６ｄ第２ツマミ部材取り付け孔
７    第３ツマミ部材                          ７ｂ第３ツマミ部材突出部
７ｃ  第３ツマミ部材弾性片  ７ｄ第２ツマミ部材取り付け孔
１０  下枠
１００  下枠ベース部材            １００ｂ下枠ベース部材取り付け係止片
１０１、１０２  内障子用目板材係止片
１０３、１０４  外障子用目板材係止片
１１  フラット面（上面）
１１ａ  外障子スライド溝          １１ｂ    内障子スライド溝
１２ａ  外障子用排水凹部          １２ｂ    内障子用排水凹部
１３ａ  外障子用横タイト材嵌合溝  １３ｂ    内障子用横タイト材嵌合溝
１４ａ  外障子用横タイト材        １４ｂ    内障子用横タイト材
１７ａ  外障子用凹部排水口        １７ｂ    内障子用凹部排水口
１８    下枠屋外排水口
１９    逆風、逆水止め部材
２０    左縦枠                      ３０    右縦枠
４０    上枠
５０    外障子                      ６０    内障子
５１    外障子下框                  ６１    内障子下框
５１ａ  外障子スライド片            ６１ａ  内障子スライド片
５１ｂ  外障子下框凹部              ６１ｂ  内障子下框凹部
５２    外障子戸当框                ６２    内障子戸当框
５３    外障子召合框                ６３    内障子召合框
５３ａ  外障子突き合わせ片          ６３ａ  内障子突き合わせ片
５４    外障子戸車                  ６４    内障子戸車
５５    外障子上框                  ６５    内障子上框
１Ａ  可動障子目板材第１部材      ２Ａ  可動障子目板材第２部材
３Ａ  可動障子目板材中央部材
５Ａ  可動障子第１ツマミ部材      ６Ａ  可動障子第２ツマミ部材
１１０  片引き戸下枠              １４０  片引き戸上枠
１１０ａ下枠ベース部材            １１０ｂ取付係止片
１１０ｃ片引き戸目板材
１２０  片引き戸左縦枠            １３０  片引き戸右縦枠
１１２ａ下枠凹部
１１３  横タイト材嵌合溝
１１４  横タイト材
１５０  可動障子                  １６０  固定障子
１５１ａ可動障子スライド片
１５１  可動障子下框
１５２  可動障子戸当框
１５３  可動障子召合框
１５５  可動障子上框              １６５  固定障子上框
【図１】
0004661019.tif 000002
【図２】
0004661019.tif 000003
【図３】
0004661019.tif 000004
【図４】
0004661019.tif 000005
【図５】
0004661019.tif 000006
【図６】
0004661019.tif 000007
【図７】
0004661019.tif 000008
【図８】
0004661019.tif 000009
【図９】
0004661019.tif 000010
【図１０】
0004661019.tif 000011
【図１１】
0004661019.tif 000012
【図１２】
0004661019.tif 000013
【図１３】
0004661019.tif 000014
【図１４】
0004661019.tif 000015
【図１５】
0004661019.tif 000016
【図１６】
0004661019.tif 000017
【図１７】
0004661019.tif 000018
【図１８】
0004661019.tif 000019